(57)【要約】      （修正有）【課題】簡単な操作で、ガイド軸をガイド支柱の所定の位置に係止可能なガイド軸の係止装置とする。【解決手段】ガイド支柱１にガイド軸６と平行に支軸１０を設け、支軸１０に垂直方向に回動する係止用プレート１３を設ける。係止用プレート１３にフリー状態で支軸１０に対しガイド支柱１側に下向きとなる開口１４を形成する。開口１４の上縁部１５と連続して、解除用アーム部１６を形成する。開口１４の解除用アーム部１６と反対側の側部の内角部に、上側半円弧部１７、下側半円弧部１８、鉤部１９を形成する。鉤部１９の先端から下側半円弧部１８の外側に傾斜部２０を形成する。鉤部１９の先端と解除用アーム部１６との最短距離、及び鉤部１９の先端と上縁部との最短距離をガイド軸６の直径よりも長くする。傾斜部２０をガイド軸６に下方から押された時、上側半円弧部１７が上方側へ移動する方向に係止用プレート１３が回動するように形成する。【選択図】図１
2004308831.tif 000002
【特許請求の範囲】
【請求項１】
ガイド支柱に沿って昇降するガイド軸をガイド支柱の所定位置に係止する係止装置であって、ガイド支柱にガイド軸と平行に支軸が設けられると共に、支軸に垂直方向に回動可能な係止用プレートが設けられ、この係止用プレートはフリー状態で支軸に対しガイド支軸側に下向きとなる開口が形成され、この開口の上縁部と連続して開口の支軸側の側部に支軸の下方から垂下した解除用アームが形成されると共に、開口の解除用アーム部の反対側の側部の内角部に、ガイド軸の外周の上側が係合する上側半円弧部が形成され、この上側半円弧部に連続して開口の側部に、下方にガイド軸の外周の下側が係止される下側半円弧部を内側に有し、先端部が内方へ向けた鉤部が形成され、この鉤部の先端から下側半円弧部の外側に傾斜部が形成されると共に、鉤部の先端と前記解除用アーム部との最短距離、及び鉤部の先端と前記上縁部との最短距離はガイド軸の直径よりも長く形成され、前記傾斜部はガイド軸が傾斜部を下方から押圧した時、上側半円弧部が上方側へ移動する方向に係止用プレートが回動するよう形成され、前記係止用プレートは、係止時にガイド軸が開口内に入った時に上側半円弧部は最上位まで至らず、下側半円弧部がガイド軸の下方に移動する方向に回動し、解除時にガイド軸が下側半円弧部から離れて上側半円弧部に係合し、上側半円弧部が最上位に至ると、重心位置が支軸に対しガイド支柱の反対側に移動し、解除用アーム部がガイド軸の下方に移動する方向に回動することを特徴とするガイド軸の係止装置。
【発明の詳細な説明】
【０００１】
【発明の属する技術分野】
本発明は、ガイド支柱に沿って昇降するガイド軸を、ガイド支柱の所定位置に係止するガイド軸の係止装置に関するものである。
【０００２】
【従来の技術】
従来、ガイド軸をガイド支柱の所定位置に係止するには、ガイド軸とガイド支柱をピン等により一体に固定していた。
しかし、係止する位置が高所であると、その作業は危険性が伴い、非常に困難なものとなっていた。
そこで、これを解消するための装置として、特許第２６２５５２２号の可動軸の係止装置が提案されている。
【０００３】
【発明が解決しようとする課題】
上記装置は、可動軸の移動のみによって固定金具を回動し、ガイドレールの所定位置への可動軸の係止及びその解除を行うものであるが、解除時は可動軸を固定金具の上方へ移動して固定金具から一旦脱出させなければならず、可動軸を大きく移動させる操作を必要とするものである。
【０００４】
上記点より本発明は、簡単な操作で、ガイド軸をガイド支柱の所定位置に係止可能なガイド軸の係止装置を提供しようとするものである。
【０００５】
【課題を解決するための手段】
上記課題を解決するため本発明ガイド軸の係止装置は、ガイド支柱に沿って昇降するガイド軸をガイド支柱の所定位置に係止する係止装置であって、ガイド支柱にガイド軸と平行に支軸が設けられると共に、支軸に垂直方向に回動可能な係止用プレートが設けられ、この係止用プレートはフリー状態で支軸に対しガイド支軸側に下向きとなる開口が形成され、この開口の上縁部と連続して開口の支軸側の側部に支軸の下方から垂下した解除用アームが形成されると共に、開口の解除用アーム部の反対側の側部の内角部に、ガイド軸の外周の上側が係合する上側半円弧部が形成され、この上側半円弧部に連続して開口の側部に、下方にガイド軸の外周の下側が係止される下側半円弧部を内側に有し、先端部が内方へ向けた鉤部が形成され、この鉤部の先端から下側半円弧部の外側に傾斜部が形成されると共に、鉤部の先端と前記解除用アーム部との最短距離、及び鉤部の先端と前記上縁部との最短距離はガイド軸の直径よりも長く形成され、前記傾斜部はガイド軸が傾斜部を下方から押圧した時、上側半円弧部が上方側へ移動する方向に係止用プレートが回動するよう形成され、前記係止用プレートは、係止時にガイド軸が開口内に入った時に上側半円弧部は最上位まで至らず、下側半円弧部がガイド軸の下方に移動する方向に回動し、解除時にガイド軸が下側半円弧部から離れて上側半円弧部に係合し、上側半円弧部が最上位に至ると、重心位置が支軸に対しガイド支柱の反対側に移動し、解除用アーム部がガイド軸の下方に移動する方向に回動することを特徴とするものである。
【０００６】
このような構成とすることにより、ガイド軸をガイド支柱の所定の位置に係止する時は、ガイド軸をガイド支柱の下方側より係止用プレートの開口に向け上昇させ、ガイド軸が係止用プレートの傾斜部を押圧し更に上昇すると、上側半円弧部が上方側へ移動する方向に係止用プレートが回動し、ガイド軸が鉤部の先端を外れ開口内に入ると、上側半円弧部は最上位まで至らず、下側半円弧部がガイド軸の下方に移動する方向に係止用プレートが逆に回動するので、ガイド軸の上昇を停止し、この下側半円弧部にガイド軸を僅かに下降し係止させる。
【０００７】
次に、係止されているガイド軸を解除する時は、ガイド軸を下側半円弧部から上昇させて上縁部を押し上げ、係止用プレートを上側半円弧部が支軸側に移動するよう回動すると、ガイド軸は上縁部に沿って上側半円弧部に係合し、上側半円弧部が最上位に至ると、重心位置が支軸に対しガイド支柱の反対側に移動し、解除用アーム部がガイド軸の下方に移動する方向に係止用プレートは回動する。
【０００８】
そして、ガイド軸を下降させると、ガイド軸は下方の解除用アーム部を押し下げ、今度は係止用プレートが反対方向に回動し、ガイド軸が解除用アーム部の先端を離れて、係止用プレートは元のフリー状態に戻ると共に、ガイド軸は開口から出て係止が解除されるから、後はガイド軸は自由に下降可能となる。
【０００９】
【発明の実施の形態】
以下、本発明の一実施の形態を図面に基づき説明する。
図１は本発明ガイド軸の係止装置の一実施の形態を示す側面図、図２は同上の正面図、図３は同上の平面図である。
本発明装置は、下部収納型柵等のパネルを支柱の所定位置に係止する場合等に使用されるもので、本実施例は下部収納型防雪柵に使用した場合の一例である。
【００１０】
図１乃至図３において、図中１はベースプレート２上に垂直に立設したガイド支柱であり、このガイド支柱１はＨ形鋼を使用し、その溝３が側面側となるようにガイド支柱１は溝３を対向させ、所定の間隔をおいて複数本設置される。
この溝３内に、数段に折り畳み可能なパネル４の最上段の側部枠５に一端が固定されたローラ形状のガイド軸６の中央部より他端側が突入されている。
ガイド軸６の両端にガイド軸６より大径のリンクプレート７が取り付けられ、溝３内のリンクプレート７の案内によりガイド軸６は溝３内を昇降する。
又、ガイド軸６は滑車８及びウインチ（図示せず）のワイヤーロープ９により昇降され、ガイド軸６は常時下方に移動しようとしている。
尚、昇降は移動式クレーン車等によっても良い。
【００１１】
１０は支柱１の正面の上方にガイド軸６と平行に設けた支軸であり、この支軸１０は支柱１に横方向に固着したコ字形部材１１の両側片に挿設した筒体１２に回動可能に挿通されている。
【００１２】
１３は支軸１０の端部に固定した係止用プレートであり、この係止用プレート１３は回動自在なフリー状態で、即ち重心が支軸１０の中心の垂直下にある状態で、支軸１０に対してガイド支柱１の溝３側に下向きとなる開口１４が形成されている。
この開口１４の支軸１０の略下方から溝３を横切り、ガイド支柱１の側縁にかけて延長した水平な上縁部１５と連続して、支軸１０側の側部に支軸１０の下方から垂下した解除用アーム部１６が形成されている。
【００１３】
又、開口１４の上縁部１５と連続して開口１４の解除用アーム部１６の反対側の側部の内角部に、ガイド軸６の外周の上側が接触し係合する上側半円弧部１７が形成されると共に、この上側半円弧部１７に連続して開口１４の側部に、下方にガイド軸６の外周の下側が接触し係止される下側半円弧部１８を内側に有し、先端部が内方へ向けた鉤部１９が形成されている。
尚、鉤部１９の先端は解除用アーム部１６の下端よりも上方に位置している。
【００１４】
又、この鉤部１９の先端と解除用アーム部１６との最短距離、及び鉤部１９の先端と上縁部１５との最短距離はガイド軸６の直径よりも長く形成されている。
２０は鉤部１９の下側半円弧部１８の外側に、鉤部１９の先端から下方に向け形成した傾斜部であり、この傾斜部２０はガイド軸６が下方より上昇し押圧された時、上側半円弧部１７が上方側へ移動する方向に係止用プレート１３が回動するよう形成されている。
【００１５】
又、係止用プレート１３は、解除時に上側半円弧部１７が上方側へ移動し、最上位に位置すると、重心位置が支軸１０に対しガイド支柱１の反対側に移動し、解除用アーム部１６はガイド軸６の下方に移動する方向に回動するようになっている。
【００１６】
次に、このような構成を有する本発明装置の動作について、図４及び図５に基づき説明する。
図４Ａ〜Ｅはガイド軸６の係止までの段階を示す作動図、図５Ａ〜Ｆはガイド軸６の係止から解除までの段階を示す作動図である。
【００１７】
先ず、ガイド軸６のガイド支柱１の所定位置へ係止する場合につき、図４により説明する。
図４Ａに示すように、ワイヤーロープ９により引き上げられたガイド軸６は、図４Ｂに示すように係止用プレート１３の傾斜部２０を下方から押圧すると、係止用プレート１３は反時計方向矢印イ方向へ回動し、図４Ｃに示すように鉤部１９の先端がガイド支柱１の側縁付近までくると、ガイド軸６は鉤部１９の先端から外れるが、上側半円弧部１７は最上位まで至っていない。
【００１８】
この時、重心は支軸１０の中心の垂直下にないためにガイド軸６が鉤部１９から外れ、図４Ｄに示すように係止用プレート１３は時計方向矢印ロ方向へ回動し、ガイド軸６は開口１４内に入る。
そして、この状態でガイド軸６を下げれば、図４Ｅに示すようにガイド軸６の下方に下側半円弧部１８があるので、ガイド軸６は下側半円弧部１８と係合し係止される。
【００１９】
次に、係止されているガイド軸６を解除する場合につき、図５により説明する。
図５Ａに示すように、ガイド軸６が係止されている状態からガイド軸６をワイヤーロープ９を引き上げれば、図５Ｂに示すようにガイド軸６は係止用プレート１３を押し上げ、係止用プレート１３を反時計方向矢印イ方向へ回動し、更にガイド軸６が上昇すると、図５Ｃに示すようにガイド軸６は上縁部１５沿いに上側半円弧部１７に係合する。
【００２０】
ガイド軸６が上側半円弧部１７に係合し、上側半円弧部１７が最上位に位置すると、重心位置が支軸１０に対しガイド支柱１の反対側に移動し、係止用プレート１３は反時計方向矢印イ方向へ自重で回動し、解除用アーム部１６はガイド軸６の下方で支柱１の溝３に重なる位置となっている。
この状態でガイド軸６を下げれば、図５Ｄに示すようにガイド軸６は解除用アーム部１６を押し下げ、係止用プレート１３を時計方向矢印ロ方向へ回動し、更にガイド軸６が下がり、図５Ｅに示すように解除用アーム部１６の下端が支柱１の側縁付近までくると、ガイド軸６は解除用アーム部１６の下端から外れると共に、上側半円弧部１７は最上位の位置から外れ、重心も支軸１０の中心下にないため、図５Ｆに示すように係止用プレート１３はフリー状態に戻る。
この時、ガイド軸６は係止用プレート１３の開口１４から脱出し、係止用プレート１３の下方となっているので自由に下降する。
【００２１】
以上、本発明を実施形態に基づき具体的に説明したが、本発明は上記実施形態に限定されるものではない。
【００２２】
【発明の効果】
以上説明したように、本発明装置によれば、ガイド軸を昇降するだけでガイド支柱の所定位置へのガイド軸の係止及び解除ができるので、下部収納型の防雪柵等のパネルを係止する場合に使用すれば、高所であっても安全性も高く、かつ簡単な遠隔操作でなし得るものである。
【図面の簡単な説明】
【図１】本発明装置の一実施の形態を示す側面図である。
【図２】本発明装置の一実施の形態を示す正面図である。
【図３】本発明装置の一実施の形態を示す平面図である。
【図４】本発明装置のガイド軸の係止に至る段階を示す作動図である。
【図５】本発明装置のガイド軸の係止から解除に至る段階を示す作動図である。
【符号の説明】
１  ガイド支柱
６  ガイド軸
９  ワイヤーロープ
１０  支軸
１３  係止用プレート
１４  開口
１５  上縁部
１６  解除用アーム部
１７  上側半円弧部
１８  下側半円弧部
１９  鉤部
２０  傾斜部
【図１】
2004308831.tif 000003
【図２】
2004308831.tif 000004
【図３】
2004308831.tif 000005
【図４】
2004308831.tif 000006
【図５】
2004308831.tif 000007